(57)【特許請求の範囲】
【請求項１】
略円筒状に形成された一対のパトローネと、一対のパトローネの間に配置され、両パトローネを結合する保持部材と、前記一対のパトローネの間に位置して形成され、撮影用フィルムを露出させるフィルム露出部と、一方のパトローネに前記フィルム露出部側に位置して設けられた突起部とを有して前記撮影用フィルムを収容してなるフィルムマガジンを、フィルム収納部に収納するようにした内視鏡用フィルムケースにおいて、
前記フィルム収納部を形成したケース本体と、前記フィルム収納部を覆う閉塞部材とを具備し、
前記フィルム収納部は、前記フィルムマガジンのパトローネをそれぞれ収納する空間を有する２つの凹部と、前記フィルム露出部の部分が位置すると共に前記２つの凹部に連なる上面を有した台状部材とを有してなり、
前記フィルム収納部には、前記フィルムマガジンを収納した際に、前記フィルムマガジンが収納される位置を規制する収納位置規制手段が形成され、
この収納位置規制手段は、前記凹部の内周面のうち前記フィルムマガジンの２つのパトローネが相対向する側にそれぞれパトローネに対向する面要素を含み、前記面要素が平面のときは当該面要素が収納位置の基準面となり、前記面要素が前記フィルムマガジンを収納する空間から見て２以上の凸部を有する曲面のときは前記空間に最も突き出した２つの凸部に外接する平面が収納位置の基準面となり、更に、前記基準面に位置決めされて前記フィルムマガジンの２つのパトローネが前記凹部に収納されたとき、そのフィルムマガジンの前記フィルム露出部の部分が位置する前記台状部材の上面を、前記フィルム収納部の縁部を形成するフランジ部の面から、前記フィルムマガジンに設けられた前記突起部が前記フィルム収納部側に没入されるに十分な量を有する角度θをもって傾斜させて形成し、前記フィルム収納部に収納する前記フィルムマガジンの収納位置を規制するようにしたことを特徴とする内視鏡用フィルムケース。
【発明の詳細な説明】
【０００１】
【産業上の利用分野】
この発明は、内視鏡写真撮影用のフィルムを収納するための内視鏡用フィルムケースに関する。
【０００２】
【従来の技術】
内視鏡写真撮影用フィルムを収容するフィルムマガジンは、略円筒状に形成された２つのパトローネが保持部材を介して結合され、この２つのパトローネの間にフィルム露出部を有している。そして、撮影用フィルムを収容してなるフィルムマガジンは、複数のフィルム収納部を含むケース本体を有する内視鏡用フィルムケースに収納されており、内視鏡写真撮影を行う際に、フィルムケースのフィルム収納部に収納された１個のフィルムマガジンを取り出し、内視鏡用カメラにセットし、内視鏡写真撮影を行っている。
【０００３】
前述した内視鏡用フィルムケースは、例えば、特願平５−３２６４０８号がある。この内視鏡用フィルムケースは、複数のフィルム収納部を有するケース本体の前記フィルム収納部を形成する空間内に台状の固定部が設けられ、この固定部を介して並設された２つの空間内にフィルムマガジンのパトローネが収容され、固定部の上面にフィルム露出部が支持されるようになっている。そして、台状の固定部の上面を台にしてフィルム面に患者名、撮影日等を記入できるようになっている。
【０００４】
【発明が解決しようとする課題】
しかしながら、前述した内視鏡用フィルムケースは、台状の固定部がケース本体のフランジ部に対して平行である。このため、フィルムマガジンのパトローネの突起が邪魔になり、ケース本体の高さを低くできない。
【０００５】
この発明は、前記事情に着目してなされたもので、その目的とするところは、フィルムマガジンのパトローネに突起部が存在しても、ケース本体をコンパクトに構成することができる内視鏡用フィルムケースを提供することにある。
【０００６】
【課題を解決するための手段および作用】
この発明は、略円筒状に形成された一対のパトローネと、一対のパトローネの間に配置され、両パトローネを結合する保持部材と、前記一対のパトローネの間に位置して形成され、撮影用フィルムを露出させるフィルム露出部と、一方のパトローネに前記フィルム露出部側に位置して設けられた突起部とを有して前記撮影用フィルムを収容してなるフィルムマガジンを、フィルム収納部に収納するようにした内視鏡用フィルムケースにおいて、
前記フィルム収納部を形成したケース本体と、前記フィルム収納部を覆う閉塞部材とを具備し、
前記フィルム収納部は、前記フィルムマガジンのパトローネをそれぞれ収納する空間を有する２つの凹部と、前記フィルム露出部の部分が位置すると共に前記２つの凹部に連なる上面を有した台状部材とを有してなり、
前記フィルム収納部には、前記フィルムマガジンを収納した際に、前記フィルムマガジンが収納される位置を規制する収納位置規制手段が形成され、
この収納位置規制手段は、前記凹部の内周面のうち前記フィルムマガジンの２つのパトローネが相対向する側にそれぞれパトローネに対向する面要素を含み、前記面要素が平面のときは当該面要素が収納位置の基準面となり、前記面要素が前記フィルムマガジンを収納する空間から見て２以上の凸部を有する曲面のときは前記空間に最も突き出した２つの凸部に外接する平面が収納位置の基準面となり、更に、前記基準面に位置決めされて前記フィルムマガジンの２つのパトローネが前記凹部に収納されたとき、そのフィルムマガジンの前記フィルム露出部の部分が位置する前記台状部材の上面を、前記フィルム収納部の縁部を形成するフランジ部の面から、前記フィルムマガジンに設けられた前記突起部が前記フィルム収納部側に没入されるに十分な量を有する角度θをもって傾斜させて形成し、前記フィルム収納部に収納する前記フィルムマガジンの収納位置を規制するようにしたことを特徴とするものである。
【０００７】
フィルムマガジンを収納すると、収納位置規制手段の面要素が平面のときは当該面要素を基準面とし、２以上の凸部を有する曲面のときは前記空間から外側に最も突出した２つの凸部に外接する平面を基準面とし、この基準面に対して前記フィルムのフィルム面が傾斜して収納される。
【０００８】
【実施例】
以下、この発明の各実施例を図面に基づいて説明する。
図１および図２は第１の実施例を示し、図１は内視鏡用フィルムケースの全体の斜視図、図２は要部の縦断側面図、図３は図１のＡ部を拡大して斜視図である。
【０００９】
まず、フィルムマガジン１について説明すると、略円筒状に形成された２つのパトローネ２が保持部材３を介して結合され、この２つのパトローネ２の間にフィルム露出部４を有し、このフィルムマガジン１に撮影用フィルム５が収容されている。すなわち、一方のパトローネ２に撮影用フィルム５が繰出し可能に巻装され、他方のパトローネ２に前記撮影用フィルム５が巻き取り可能に巻装されている。また、フィルムマガジン１には内視鏡用カメラにセットされたフィルムマガジン１を取り出す際の摘みを形成する突起部１ａが設けられている。
【００１０】
内視鏡用フィルムケースのケース本体６には、フィルムマガジン１を収納する空間を形成する複数個のフィルム収納部７が設けられている。このフィルム収納部７を含むケース本体６は遮光性材料、例えば黒色の合成樹脂材料によって一体に成形されている。フィルム収納部７には、前記フィルムマガジン１の２つのパトローネ２を収納する２つの空間を形成する凹部８を有しており、この２つの凹部８間には収納位置規制手段としての台状部材９が設けられている。
【００１１】
この台状部材９は、前記フィルム収納部７にフィルムマガジン１を収納した際に、撮影用フィルム５の法線に略垂直な２つの収納部内周面９ａと上面９ｂを有している。前記収納部内周面９ａは、前記２つのパトローネ２が共に対向するような２つの面要素を持っており、この面要素、つまり収納部内周面９ａを基準面とし、この基準面に対して前記台状部材９の上面９ｂが傾斜（角度θ）している。さらに、前記ケース本体６にはフィルム収納部７の縁部を形成するフランジ部１０が一体に設けられており、このフランジ部１０には略ミシン目状の断続部１１が設けられている。すなわち、複数のフィルム収納部７が断続部１１を介して連設され、断続部１１で切り離すことにより、複数の分離体１２に分割できるようになっている。
【００１２】
したがって、前記台状部材９の上面９ｂはフランジ部１０に対して傾斜しているとともに、フランジ部１０より高さが低く、フィルムマガジン１をフィルム収納部７を収納したとき、２つのパトローネ２を連結する保持部材３が台状部材９と干渉することなく、２つのパトローネ２が凹部８の内底面に接するまで落ち込み、突起部１ａはフランジ部１０より没入した状態に収納される。この結果、ケース本体６の高さＨが低くなり、コンパクトに構成できる。
【００１３】
また、ケース本体６の上面にはフィルム収納部７の開口を閉塞する閉塞部材１３が接着されている。この閉塞部材１３は、遮光性材料、例えば、複数のプラスチック層とアルミ箔の層からなるラミネート材で成形されている。前記プラスチック層は、ＰＥＴ、ポリエチレン、シーラント（ポリプロピレンとポリスチレンのブレンド樹脂）等の合成樹脂材料の組合せで形成されている。
【００１４】
さらに、閉塞部材１３はケース本体６のフランジ部１０に対し、矩形環状に熱溶着または接着されており、環状接着部１４が形成されている。また、この環状接着部１４のコーナ部には外側へ突出する舌片部１４ａが設けられている。
【００１５】
すなわち、閉塞部材１３はフランジ部１０の開口周辺に略開口形状に沿って接着または溶着され、前記略開口形状は４隅が円弧状の略長方形であって、さらにその４隅に舌片形状を有している。
【００１６】
したがって、閉塞部材１３をその縁部から引き剥がそうとすると、舌片部１４ａに力量が集中し、舌片部１４ａから閉塞部材１３が剥がれ、また環状接着部１４はケース本体６のフランジ部１０に対して各々、独立しているので１ケ所ずつ剥がれるように形成されている。
【００１７】
このように、環状接着部１４のコーナ部に舌片部１４ａを設けることにより、閉塞部材１３が強い接着力で接着されていても、小さい力量で容易に剥がすことができる。また、環状接着部１４は各々、独立しているので、フィルムマガジン１を１個ずつ取り出す作業が容易で便利になる。
【００１８】
なお、前記第１の実施例においては、収納位置規制手段としての台状部材９は、フィルム収納部７にフィルムマガジン１を収納した際に、撮影用フィルム５の法線に略垂直な２つの収納部内周面９ａが、２つのパトローネ２が共に対向するような２つの面要素の一方の面要素について、この面要素が平面のとき、当該面要素を基準面とし、この基準面に対して前記台状部材９の上面９ｂが傾斜（角度θ）している場合について説明したが、この面要素が前記フィルムマガジン１を収納する空間から見て２以上の凸部を有する曲面のときは空間としての凹部８から外側に最も突出した２つの凸部に外接する平面を基準面とし、この基準面に対して前記撮影用フィルム５のフィルム面を傾斜させるように、この基準面に対して台状部材９の上面９ｂを傾斜（角度θ）することにより、第１の実施例と同様な効果が得られる。
【００１９】
前述したように、撮影用フィルム５のフィルム面を傾斜させた状態で、フィルムマガジン１をフィルム収納部７に収納することにより、ケース本体６の高さ寸法Ｈを小さくすることができ、ケース本体６のコンパクト化を図ることができる。
【００２０】
フィルムマガジン１の撮影用フィルム５のフィルム面を傾斜させる手段として前記実施例においては、台状部材９の上面９ｂをフランジ部１０に対して傾斜することにより、フィルムマガジン１を傾けているが、この発明は前記実施例に限定されるものではなく、収納位置規制手段としての台状部材９のパトローネ２と接する面あるいは空間を形成する凹部８の内面形状によってフィルムマガジン１を傾けるようにしてもよく、またケース本体６の開口を閉塞する閉塞部材１３を接着したとき、その閉塞部材１３によってフィルムマガジン１の突起部１ａを押し下げ、フィルムマガジン１がシーソ式にフィルム収納部７に傾いて収納されるようにしてもよい。このように構成することにより、閉塞部材１３をケース本体６から剥がすことにより、フィルムマガジン１がシーソ式に復帰し、突起部１ａがケース本体６のフランジ部１０より上方に突出するためフィルムマガジン１の取り出しが容易となる。
【００２１】
図４は第２の実施例を示し、第１の実施例と同一構成部分は同一番号を付して説明を省略する。この実施例の閉塞部材１３は、ケース本体６のフランジ部１０の端部１０ａより外側に寸法ｔだけ突出し、マージン１５を形成している。すなわち、閉塞部材１３の周縁部は、ケース本体６の境界の外部まで至る面積を有している。また、各分離体１２のコーナ部には面取り部１２ａが設けられている。
【００２２】
この実施例によれば、閉塞部材１３を剥がす際は、このマージン１５部分を手指で摘むことにより、容易に剥がすことができ、またマージン１５部分の面積が広いので、閉塞部材１３を手指で摘む作業が容易になる。
【００２３】
図５〜図７は第３の実施例を示し、第１の実施例と同一構成部分は同一番号を付して説明を省略する。図５に示すように、ケース本体６と閉塞部材１３にはそれぞれ略ミシン目状の断続部１６が設けられている。すなわち、ケース本体６の分離体１２は断続部１６を介して連結されている。さらに、ケース本体６のコーナ部には面取り部１７が設けられ、面取り部１７に位置する閉塞部材１３を手指で摘み、閉塞部材１３を剥がすことができる。
【００２４】
このように面取り部１７を設けることによって閉塞部材１３の摘み代が大きくなり、閉塞部材１３の剥離作業が容易になる。
さらに、この実施例のケース本体６のフランジ部１０と閉塞部材１３が接する部分においては断続部１６を形成する分離部１６ａは連結部１６ｂよりも長い形成されている。したがって、分離体１２相互を相反する方向に引っ張ると、断続部１６から分離し、各分離体１２は容易に分離される。また、分離部１６ａの長さが連結部１６ｂよりも長いので、ケース本体６を複数に分離する作業が容易になる。
【００２５】
さらに、分離体１２のコーナ部が集合する部分で、面取り部１７相互が接する部分には面取り部１８が設けられている。したがって、ケース本体６を分割する際、面取り部１８の位置でケース本体６は分離されて分離体１２となり、ケース本体６のコーナ部は鋭利な角度にならないので安全である。
【００２６】
しかも、複数の分離体１２のコーナ部が集合する部分で、面取り部１７相互が接し、かつケース本体６の端部６ａに位置する閉塞部材１３においては断続部１６の分離部１６ａより連結部１６ｂの方が長い形成されているため、閉塞部材１３を剥がす際、連結部１６ｂが閉塞部材１３を引っ張り、閉塞部材１３が連続的に剥がれる。
【００２７】
したがって、ケース本体６のフランジ部１０に固定されている閉塞部材１３を一気に剥がすことができ、フィルムマガジン１を取り出す手間が省ける。
また、分離体１２の面取り部１７が集合する部分には面取り部１７と１８とで形成される略アステロイド形状の孔部１９に位置する閉塞部材１３には十字状の切り込み部２０が設けられている。
【００２８】
なお、切り込み部２０は図６に示すように、フィルム収納部７の長手方向と直角方向に延びる−字状としてもよく、フィルム収納部７の長手方向に沿って延びる−字状としてもよい。
【００２９】
したがって、分離体１２（ケース本体６のフランジ部１０に閉塞部材１３が固定された状態）を細かく分離しようとする際、切り込み部２０によって容易に分離できる。
【００３０】
図８および図９は第４の実施例を示す。この実施例は、ケース本体６を収納する外箱を示し、紙、段ボール等からなる箱本体２１には上面が開口部が設けられ、この箱本体２１には上面開口部を閉塞する上蓋部２２が設けられている。
【００３１】
上蓋部２２は基端部２２ａと先端部２２ｂとに区画され、その境界部には略ミシン目状の断続部２３が設けられている。また、箱本体２１にはその上面開口部を上蓋部２２によって閉塞した際に、その上蓋部２２を箱本体２１に固定する固定部２４が設けられている。固定部２４には複数の略長方形の離形部２５を有すると共に、この離形部２５は分離部２６と連結部２７とからなる略ミシン目状の断続部２８を介して設けられている。さらに、断続部２８の連結部２７の寸法ｇは前記分離部２６より短く、３ｍｍ以下に形成されている。
【００３２】
そして、上蓋部２２の断続部２３と２８との間は帯状の離形ストリップ２９に形成され、この離形ストリップ２９を矢印方向に引き起こすと、断続部２３と２８が外れ、離形ストリップ２９が固定部２４から外れ、箱本体２１が開封する。このとき離形部２５は固定部２４に固定された状態で残る。
【００３３】
したがって、分離部２６間の連結部２７は３ｍｍ以下という短い寸法なので、離形ストリップ２９が容易に外れ、箱本体２１の開封が容易になる。
前記実施態様によれば、付記に示すような構成が得られる。
（付記項１）  略円筒状に形成された２つのパトローネが保持部材を介して結合され、この２つのパトローネの間にフィルム露出部を有して撮影用フィルムを収容してなるフィルムマガジンを収納する空間を形成するフィルム収納部を含むケース本体を有する内視鏡用フィルムケースにおいて、前記フィルム収納部は、前記フィルムマガジンを収納した際に、前記撮影用フィルムの法線に略垂直な面であって前記フィルム収納部の空間を構成する収納部内周面に収納位置規制手段を有し、この収納位置規制手段は、前記収納部内周面のうち前記フィルムマガジンの２つのパトローネが共に対向するような２つの面要素の一方の面要素について、この面要素が平面のときは当該面要素を基準面とし、この面要素が前記フィルムマガジンを収納する空間から見て２以上の凸部を有する曲面のときは前記空間から外側に最も突出した２つの凸部に外接する平面を基準面とし、この基準面に対して前記フィルムのフィルム面を前記フィルム収納部の縁部を形成するフランジ部なる面から前記フィルムマガジンに設けられた突起部が前記フィルム収納部側に没入されるに十分な量を有する角度θをもって傾斜させるようにその収納位置を規制することを特徴とする内視鏡用フィルムケース。
（付記項２）  前記収納位置規制手段は、前記収納部内周面のフィルム露出部に対向する位置に設けられてなり、このフィルムの露出部のフィルム面に接触または非接触の上面を有する台状部材であって前記上面は前記基準面に対して傾斜していることを特徴とする付記項１に記載の内視鏡用フィルムケース。
（付記項３）  前記収納部に収納されるべき前記フィルムマガジンは前記フィルム露出部が前記２つのパトローネの略共有接平面に沿って配置される構造を有している場合において、前記面要素は前記パトローネの略外形に沿った２つの略円柱形状と前記フィルム露出部の前記共有接平面と対向しない面に沿って配置された前記２つの略円柱形状を係合する略平面とからなる凹凸形状を有し、前記台状部材は前記面要素の凹部であることを特徴とする付記項２に記載の内視鏡フィルムケース。
（付記項４）  前記フィルムマガジンを取り出すための開口とこの開口を含む面内にてフランジ部を有する前記ケース本体と、前記開口を閉塞する閉塞部材を有し、この閉塞部材は前記フランジ部の前記開口周辺に略開口形状に沿って接着または溶着され、前記略開口形状は４隅が円弧状の略長方形であって、さらにその４隅に舌片形状を有していることを特徴とする付記項１に記載の内視鏡用フィルムケース。
（付記項５）  前記閉塞部材は、前記開口を閉塞した際に、該ケース本体の境界の外部まで至る面積を有することを特徴とする付記項１に記載の内視鏡フィルムケース。
（付記項６）  略円筒状に形成された２つのパトローネが保持部材を介して結合され、この２つのパトローネの間にフィルム露出部を有して撮影用フィルムを収容してなるフィルムマガジンを収納する空間と共にこの空間に収納された前記フィルムを取り出すための開口を有するフィルム収納部が複数形成されたケース本体と、このケース本体に形成された複数のフィルム収納部の各開口を閉塞する閉塞部材とからなる内視鏡用フィルムケースにおいて、
前記各フィルム収納部は、前記フィルムマガジンを収納した際に、前記撮影用フィルムの法線に略垂直な面であって前記フィルム収納部を構成する収納部内周面に収納位置規制手段を有し、この収納位置規制手段は、前記収納部内周面のうち前記フィルムマガジンの２つのパトローネが共に対向するような２つの面要素の一方の面要素について、この面要素が平面のときは当該面要素を基準面とし、この面要素が前記フィルムマガジンを収納する空間からみて２以上の凸部を有する曲面のときは前記空間から外側に最も突出した２つの凸部に外接する平面を基準面とし、この基準面に対して前記フィルムのフィルム面を傾斜させるようにその収納位置を規制することを特徴とする内視鏡用フィルムケース。
（付記項７）  前記閉塞部材は、前記開口を閉塞した際に、該ケース本体の境界の外部まで至る面積を有することを特徴とする付記項６に記載の内視鏡フィルムケース。
（付記項８）  前記ケース本体は複数の分離部と連結部とからなる略ミシン目状の断続部を有し、複数の分離体に分割可能であることを特徴とする付記項６に記載の内視鏡フィルムケース。
（付記項９）  前記分離体はその開口の方向からみて４隅が略円弧状である略長方形の形状を有することを特徴とする付記項８に記載の内視鏡フィルムケース。
（付記項１０）  前記ケース本体と前記閉塞部材が接する部分において、前記略ミシン目状の断続部は、各分離部が各連結部より長いことを特徴とする付記項８に記載の内視鏡フィルムケース。
（付記項１１）  前記ケース本体の端部で、隣合う２つの分離体の略円弧状の隅の間に位置する閉塞部材において、閉塞部材の連結部が分離部よりも長いことを特徴とする付記項９に記載の内視鏡用フィルムケース。
（付記項１２）  隣合う前記分離体の略円弧状の隅が互いに接する部位に、半径０．５ｍｍ以上の面取り部を設けたことを特徴とする付記項９に記載の内視鏡フィルムケース。
（付記項１３）  前記ケース本体の複数のフィルム収納部が２次元の格子状に配列されている場合において、前記ケース本体の内側で４つの分離体の互いに向かい合う略円弧状の隅が形成する略アステロイド形状の孔部において、その位置の閉塞部材に切り込み部を設けたことを特徴とする付記項９に記載の内視鏡フィルムケース。
（付記項１４）  上面が開口された紙、段ボール等からなる箱本体と、この箱本体に設けられた前記上面開口部を閉塞する上蓋部と、この上蓋部の先端に設けられ前記箱本体の開口部を前記上蓋部により閉塞した際にこの上蓋部を前記箱本体に固定する固定部からなる前記内視鏡用フィルムケースを収納する外箱において、前記固定部は複数の略長方形の離形部を有すると共に、この離形部は分離部と連結部からなる略ミシン目状の断続部を介して設けられており、前記断続部の連結部は前記断続部の分離部よりも短いことを特徴とする付記項１もしくは６に記載の内視鏡フィルムケースを収納する外箱。
（付記項１５）  保持部材を介して結合されているフィルム送出用パトローネとフィルム巻き取り用パトローネを有すると共にこれらのいずれか一方のパトローネの外周部に突起部が設けられている内視鏡用フィルムマガジンにおいて、前記突起部が設けられているパトローネの外径は他のパトローネの外径よりも小さいことを特徴とする内視鏡用フィルム。
【００３４】
【発明の効果】
以上説明したように、この発明によれば、２つのパトローネの間にフィルム露出部を有して撮影用フィルムを収容してなるフィルムマガジンを収納する内視鏡用フィルムケースにおいて、そのフィルムマガジンのパトローネに突起部が存在しても、ケース本体をフィルム収納部に傾けて収納することができるため、フィルムケースをコンパクトに構成することができるという効果がある。
【図面の簡単な説明】
【図１】この発明の第１の実施例を示す内視鏡用フィルムケースの斜視図。
【図２】同実施例のフィルム収納部の縦断側面図。
【図３】図１のＡ部を拡大して示す斜視図。
【図４】この発明の第２の実施例を示し、内視鏡用フィルムケースを裏側から見た斜視図。
【図５】この発明の第３の実施例を示す内視鏡用フィルムケースの斜視図。
【図６】この発明の第３の実施例の変形例を示す内視鏡用フィルムケースの斜視図。
【図７】この発明の第３の実施例の変形例を示す内視鏡用フィルムケースの斜視図。
【図８】この発明の第４の実施例を示す外箱の斜視図。
【図９】図８のＢ部を拡大して示す正面図。
【符号の説明】
１…ケース本体、２…パトローネ、３…保持部材、４…フィルム露光部、５…撮影用フィルム、６…ケース本体、７…フィルム収納部、８…凹部、９…台状部材、１０…フランジ部。
【図１】
0003571368.tif 000002
【図２】
0003571368.tif 000003
【図３】
0003571368.tif 000004
【図４】
0003571368.tif 000005
【図５】
0003571368.tif 000006
【図６】
0003571368.tif 000007
【図７】
0003571368.tif 000008
【図８】
0003571368.tif 000009
【図９】
0003571368.tif 000010